(57)【要約】      （修正有）【課題】カットアウトに備えられたヒューズの交換作業において、ヒューズ筒の落下を防止する操作棒を提供する。【解決手段】操作棒１は、カットアウトに内蔵されたヒューズ筒を嵌合する嵌合部２を有する先端部と、棒状部５と、から構成され、嵌合部２には、ヒューズ筒を把持する把持手段６を備え、また、棒状部５には、把持手段６を操作する操作部３を備えている。把持手段６は、第１のシャフト６５の先端に嵌合される第１のギア６１、第２のシャフト６６の先端に嵌合され第１のギアに対して９０°方向に回転する第２のギア６２、第２のギア６２と同方向に回転し第４のギア６４と噛み合う第３のギア６３、第１の稼動部６０が上面に設けられる第４のギア６４、から構成され、操作部３の操作によって第１の稼動部６０が移動して嵌合部２の内径が調整される。【選択図】図１
2010244826.tif 000002
【特許請求の範囲】
【請求項１】
カットアウトに内蔵されたヒューズ筒を嵌合する嵌合部を備えた先端部と、棒状部と、から成る操作棒において、
前記嵌合部にヒューズ筒を把持する把持手段を備え、前記棒状部に前記把持手段を操作する操作部を備えたことを特徴とする操作棒。
【請求項２】
前記嵌合部は、形状が異なる第１の嵌合部と第２の嵌合部を有し、さらに前記第１の嵌合部その形状に応じた第１の把持手段を、また、前記第２の嵌合部には、その形状に応じたと第２の把持手段を備え、
前記第１の嵌合部は、円筒状の形状を有し、前記第１の把持手段は、前記第１の嵌合部の内径を調整することにより前記ヒューズを挟持する手段であり、
前記第２の嵌合部は、固定部と稼動部から構成され、前記稼動部が前記固定部に接するときに、スリット状の間隙を形成し、前記第２の把持手段は、前記稼動部の開閉動作により前記ヒューズを挟持する手段であることを特徴とする請求項１に記載の操作棒。
【請求項３】
前記第１の嵌合部および第２の嵌合部は、棒状部の端部に脱着可能に取り付けられ、異なる動作手段に交換することが可能であることを特徴とする請求項１または２に記載の操作棒。
【発明の詳細な説明】
【技術分野】
【０００１】
本発明は、電柱などに設けられているカットアウトのヒューズの交換作業に用いられる操作棒において、特にヒューズ筒を把持する手段を有する操作棒に関する。
【背景技術】
【０００２】
一般的に電柱の変圧器には、過剰電流が供給されることを防止するために回路を切断するカットアウトが備えられている。
カットアウトによる回路の切断はヒューズによって行われ、このヒューズの交換は、たとえば、カットアウトのドアの開閉を操作する操作棒によってヒューズが内蔵されたヒューズ筒を引き抜き、次いで新しいヒューズをこのヒューズ筒にセットして再びカットアウトに取り付けられる。より詳しくは、カットアウトの操作棒には、ヒューズ筒を嵌めるための嵌合孔が設けられており、この嵌合孔を用いてヒューズ筒の引き抜きおよび取り付けが行われている。
【０００３】
このようなヒューズの交換に用いられる操作棒としては、たとえば、ヒューズ筒の操作部に対して脱着可能な係合部材を備える操作棒において、ヒューズ筒の周囲には前記ヒューズ筒を係合部に取着したときにヒューズ筒の表面に設けられた電極を覆うカバー位置と前記電極を露出する退避時間を移動可能に絶縁カバーを設け、前記絶縁カバーにはヒューズ筒をカットアウト内に装着時にカットアウト部材と係合する係合部を設け、前記絶縁カバーに対して常時カバー位置に付勢する付勢部材を設けた操作棒が知られている（特許文献１参照）。
【先行技術文献】
【特許文献】
【０００４】
【特許文献１】実開平５−５３１０５号公報
【発明の概要】
【発明が解決しようとする課題】
【０００５】
しかしながら、多くの電柱には通信線のみではなく、さまざまな種類の電線が取り付けられているため、作業者の手がカットアウトに届かないことが多い。このため作業者は、操作棒の操作のみでヒューズの交換作業を行うことになる。すなわち、特許文献１に記載された操作棒では、ヒューズの交換作業において、ヒューズ筒の引き抜きおよび取り付けの際に操作棒にヒューズ筒が固定されずに作業が行われるため、ヒューズ筒が落下して事故を招く虞がある。
【０００６】
本発明は、カットアウトに備えられたヒューズの交換作業において、ヒューズ筒を確実に把持してヒューズ筒の落下を防止することが可能な操作棒を提供することを主たる目的とする。
【課題を解決するための手段】
【０００７】
上記課題を達成するために、本発明に係る操作棒は、カットアウトに内蔵されたヒューズ筒を嵌合する嵌合部を備えた先端部と、棒状部と、から成る操作棒において、前記嵌合部にヒューズ筒を把持する把持手段を備え、前記棒状部に前記把持手段を操作する操作部を備えたことを特徴としている（請求項１）。
【０００８】
嵌合部に把持手段を設けたことにより、カットアウトのヒューズの交換作業において、ヒューズ筒をしっかり把持することができ、ヒューズ筒の落下の危険性を減らすことが可能となる。
【０００９】
また、前記嵌合部は、形状が異なる第１の嵌合部と第２の嵌合部を有し、さらに前記第１の嵌合部その形状に応じた第１の把持手段を、また、前記第２の嵌合部には、その形状に応じたと第２の把持手段を備え、前記第１の嵌合部は、円筒状の形状を有し、前記第１の把持手段は、前記第１の嵌合部の内径を調整することにより前記ヒューズを挟持する手段であり、前記第２の嵌合部は、固定部と稼動部から構成され、前記稼動部が前記固定部に接するときに、スリット状の間隙を形成し、前記第２の把持手段は、前記稼動部の開閉動作により前記ヒューズを挟持する手段であることを特徴としている（請求項２）。
【００１０】
これにより、カットアウトの形状を問わず１つの操作棒でヒューズの交換作業を行うことが可能となる。
【００１１】
さらに、前記第１の嵌合部および第２の嵌合部は、棒状部の端部に脱着可能に取り付けられ、異なる動作手段に交換することが可能であることを特徴としている（請求項３）。
【００１２】
これにより、操作棒を持ち代えることなく交換作業以外の作業を行うことが可能となる。
【発明の効果】
【００１３】
以上のように本発明によれば、カットアウトのヒューズの交換作業において、ヒューズ筒を把持する把持手段を操作棒に備えるため、ヒューズ筒の落下を防ぐことが可能となる。
また、形状がそれぞれ異なる第１と第２の嵌合部を有することにより、カットアウトの形状を問わず１つの操作棒で交換作業を行うことが可能となる。
さらに、異なる動作手段と交換可能に脱着できるため、ヒューズの交換作業だけでなく、複数の種類の作業を１つの操作棒で作業することが可能となる。
【図面の簡単な説明】
【００１４】
【図１】図１は、実施例１における操作棒の概略全体構成を示す構成図である。
【図２】図２は、実施例１における把持手段の構成を示す構成図である。
【図３】図３は、実施例１における第４のギアを側面から見た構成図である。
【図４】図４は、実施例１における嵌合部２を上面から見た構成図である。
【図５】図５は、実施例２のおける操作棒の概略全体構成を示す構成図であり、（ａ）は、稼動部が固定部と接するときの操作棒を示した全体図である。（ｂ）は、稼動部が固定部から離れたときの操作棒を示した全体図である。
【図６】図６は、実施例３における操作棒の概略全体構成を示す構成図であり、（ａ）は、稼動部が固定部と接するときの操作棒を示した全体図である。（ｂ）は、稼動部が固定部から離れたときの操作棒を示した全体図である。
【図７】図７は、実施例３における把持手段の構成を示した構成図であり、（ａ）は、稼動部を側面からみたときの把持手段の構成を示した構成図である。（ｂ）は、稼動部を正面からみたときの把持手段の構成を示した構成図である。
【図８】図８は、実施例４における操作棒の概略全体構成を示す構成図である。
【図９】図９は、実施例５における操作棒の概略全体構成を示す構成図である。
【発明を実施するための形態】
【００１５】
以下、本発明の把持手段を備えた操作棒について図面を参照して説明する。
【実施例１】
【００１６】
図１において、円筒型のカットアウトに備えられたヒューズの交換作業に用いられる操作棒１が示されている。この操作棒１は、ヒューズ筒を嵌める嵌合部２が円筒状の先端部４に設けられ、また嵌合部２におけるヒューズ筒の把持操作を行う操作部３が棒状部５に設けられている。以下、円筒型のカットアウトの嵌合部２を備えた先端部４を円筒型先端部４１とする。
【００１７】
嵌合部２は、円筒型のカットアウト内のヒューズ筒に対して操作棒１をカットアウトの下部から差し込んだ際に、ヒューズ筒を挟持する第１の稼動部６０を備えている。すなわち、第１の稼動部６０が、嵌合部２の内径を調整することで把持手段６として機能する。
【００１８】
操作部３は、第１の稼動部６０の嵌合部２における内側または外側への移動動作を操作する第１のシャフト６５と係合されており、この操作部３を左右に回転させることによって、嵌合部２の内径が調整される。
【００１９】
棒状部５は、操作棒１の全長が自由に変更できるように、たとえば、双方にネジきりが施されている二重筒で構成され、これらのうち一方の筒を左右に回転させることによって伸縮させるように構成しても良い。
【００２０】
把持手段６は、図２および図３に示す通り、第１のシャフト６５の先端に嵌合される第１のギア６１、第２のシャフト６６の先端に嵌合され第１のギアに対して９０°方向に回転する第２のギア６２、第２のギア６２と同方向に回転し第４のギア６４と噛み合う第３のギア６３、第１の稼動部６０が上面に設けられる第４のギア６４、から構成されている。
【００２１】
第１のギア６１は、側面から見て台形の形状を成しその円弧周面に所定数のギア歯が形成されている。
【００２２】
第２のギア６２は、第１のギア６１と同様の形状を有し第３のギア６３と挿通する第２のシャフト６６の先端に設けられている。
【００２３】
第３のギア６３は、円筒状の形状を成し所定数のギア歯が側面に設けられている。
【００２４】
第４のギア６４は、四角柱の形状を成し所定数のギア歯が底面に設けられている。
【００２５】
以上の構成の操作棒１における把持手段６の動作を説明する。
第１のシャフト６５が図面の右方向に回転すると、第１のギア６１が第１のシャフト６５と同方向に回転し、第１のギアと９０°方向にかみ合っている第２のギア６２が図面の奥から手前方向に回転する。次いで第２のギア６２と挿通する第３のギア６３が第２のギア６２と同方向に回転するとともに第４のギア６４が図面の奥から手前方向に移動する。上述のとおり第１の稼動部６０は、第４のギア６４の上面に設けられているため第４のギア６４の動きに伴って、嵌合部２の内側から外側に、すなわち、図４において示される図面の上側から下側へ移動する。
【００２６】
同様に、図面の左側方向に操作部３を回転させたときは、上記の操作部３を右側方向への回転させたときとは全て反対方向に第１のギア６１、第２のギア６２、第３のギア６３、第４のギア６４が回転し、第１の稼動部６０は嵌合部２の内側に、すなわち、図４において示される図面の下側から上側へ移動する。
【００２７】
以上のように、第１の稼動部６０が嵌合部２の内側と外側に移動することによって嵌合部２の内径を調整するため、操作棒１にヒューズ筒を挟持することができ、落下による事故を防ぐことが可能となる。
【実施例２】
【００２８】
カットアウトの形状は、一般的に円筒型と箱型の２種類あり、それぞれの形状に合わせた操作棒を用いて操作を行う必要がある。本実施例では、箱型のカットアウトの嵌合部２を備えた先端部４（以下、箱型先端部４２）を用いる。
【００２９】
図５（ａ）および（ｂ）において、箱型のカットアウトに備えられたヒューズの交換作業に用いられる操作棒１が示されている。なお、箱型のカットアウトにおけるヒューズの交換作業は、ヒューズを内蔵した図示しない接触刃を把持することでヒューズの交換作業が行われる。
【００３０】
箱型先端部４２は、箱型のカットアウトに対応する形状を成し、接触刃を嵌合する嵌合部２を備えている。
【００３１】
嵌合部２は、固定部２１と第２の稼動部２２（ａ）から構成されており、これらの部材が合わさることによって、スリット状の間隙２３を形成する。ここで、第２の稼動部２２（ａ）を固定部２１に向かって移動させることによって接触刃を挟持する把持手段６として機能する。
【００３２】
把持手段６は、第２の稼動部２２（ａ）が図面の左右に移動するように第４のギア６４が設けられるため、実施例１とは９０°回転した位置に第２のシャフト６６が描かれているが、同一のものである。すなわち、本実施例は、第４のギア６４の上面に設けられる第２の稼動部２２（ａ）が実施例１とは異なるが、把持手段６を構成する各ギアの稼動は同一である。
【００３３】
以上のように、箱型のカットアウトに対しても接触刃を挟持することができるため、安全に交換作業を行うことが可能となる。
【実施例３】
【００３４】
実施例２の把持手段６では、接触刃の径が嵌合部２よりも大きい場合、挟持することが困難である。本実施例では、箱型のカットアウトにおいて把持手段６の稼動方法を変更する。
【００３５】
図６（ａ）および（ｂ）において、箱型のカットアウトに備えられたヒューズの交換作業に用いられる操作棒１が示されている。
【００３６】
本実施例は、箱型先端部４２が用いられ、第２の稼動部２２（ｂ）が第３のシャフト６８を中心にして円弧を描くように固定部２１に向かって稼動することによって把持手段６を機能させる点で実施例２と異なる。
【００３７】
この把持手段６は、第１のギア６１と、第１のギア６１に対して９０°方向に回転する第５のギア６７と、第５のギア６７に挿通して第２の稼動部２２（ｂ）に取り付けられている第３のシャフト６８と、から構成されている。
【００３８】
また、第５のギア６７は、第１のギア６１と同様に側面から見て台形の形状を有する形状で、その円弧周面に所定数のギア歯が形成されている。
【００３９】
本実施例の操作棒１における把持手段６の動作を図６（ａ），（ｂ）および図７（ａ），（ｂ）を参照して説明する。
【００４０】
第１のギア６１が右方向に回転すると、第５のギア６７が第１のギア６１の回転に対して垂直方向に回転する。この動きに伴って、第２の稼動部２２（ｂ）は、第５のギア６７の回転方向と同じ方向に円弧を描くように稼動する。
【００４１】
以上のように、第２の稼動部２２（ｂ）が円弧を描くように稼動することによって、接触刃が嵌合部２よりも大きい場合でも挟持することができる。
【実施例４】
【００４２】
上述のとおり、それぞれの形状に応じた操作棒がカットアウトの操作には必要になる。本実施例では、一つの操作棒で円筒型および箱型のカットアウトの操作を行えるようにする。
【００４３】
図８に示すとおり、操作棒１の一端には、円筒型先端部４１が設けられ、他端には、箱型先端部４２が設けられている。また、円筒型先端部４１の第１の稼動部６０を操作する操作部３および箱型先端部４２の第２の稼動部２２を操作する操作部３´がそれぞれ棒状部５に設けられている。
【００４４】
円筒型先端部４１は、実施例１に示した円の内径を調整する第１の稼動部６０を備えた先端部４と同じものを用いることができる。
【００４５】
箱型先端部４２は、実施例２に示した固定部に対して平行に稼動する第２の稼動部２２（ａ）を備えた箱型先端部４２を用いることができ、また、実施例３に示した円弧を描くように稼動する第２の稼動部２２（ｂ）を備えた箱型先端部４２も用いることが可能である。
【００４６】
以上のように、異なる形状のカットアウトに対応した円筒型先端部４１および箱型先端部４２を操作棒１の両端に備えることにより、操作棒１を持ち替えることなく操作することが可能となる。
【実施例５】
【００４７】
電柱などの高所での作業において、複数の道具を運ぶことは危険であることに加えて作業者に負担がかかる。本実施例では、実施例１から３において示された先端部４を着脱可能に操作棒１に取り付ける。
【００４８】
図９に示すように、アダプタ７は、共用操作棒１１の工具取り付け部１１ａを挿入可能な筒状に形成された本体８の下部に、工具取り付け部１１ａの直径方向に突出する一対の係止ピン１１ｂ，１１ｂを導入するための略Ｌ字状に形成されたガイド溝１２を有している。また、このガイド溝１２のＬ字端には、一対の係止ピン１１ｂ，１１ｂをツイストロックさせるための係止凹部１１ｃ，１１ｃが形成されており、かつ、工具取り付け部１１ａの先端を当接させるためのストッパー（図示せず）が設けられている。さらに、本体８の上部の工具装着部５ａには、先端部４が取り付けられている。
【００４９】
このような構成により、アダプタ７の本体８に共用操作棒１１の工具取り付け部１１ａを挿入して一対の係止ピン１１ｂ，１１ｂをガイド溝１２，１２に導入し係止凹部１１ｃ，１１ｃに対してツイストロックさせれば、アダプタ７の先端部４を共用操作棒１１に固定状態に保持することができる。
【００５０】
ここで、共用操作棒１１の内部には、第１のシャフト６５と第１のギア６１が設けられており、またアダプタ７の内部には、共用操作棒１１とアダプタ７をツイストロックしたときに、第１のギア６１に噛み合うように第２のギア６２および第１の稼動部６０または第２の稼動部２２（ａ）または(ｂ)を移動させるための実施例１から３までに示した各ギアおよび各シャフトが先端部４に応じて内蔵されている。このように構成することで、第１のシャフト６５の回転に伴って、第１の稼動部６０または第２の稼動部２２を移動させることができる。
【００５１】
なお、先端部４は、実施例１から３に示した先端部４に限らず、例えば、ヤットコ、フックバー、間接シノ、電線磨き器、クランプ用アダプタ、カマ型ナイフ、ドライバ、ラチェット、などの工具を用いても良い。
【００５２】
以上のように、先端部４を着脱可能に共用操作棒１１に取り付けることで、作業者が操作棒を持ち替えることなく作業を行うことができる。
また、本実施例では、共用操作棒１１の一端に先端部４を着脱可能に取り付ける例を示したが、実施例４のように共用操作棒１１の両端に円筒型先端部４１および箱型先端部４２を着脱可能に取り付けて実施してもよい。
【符号の説明】
【００５３】
１  操作棒
２  嵌合部
３  操作部
４  先端部
５  棒状部
５ａ  工具装着部
６  把持手段
７  アダプタ
８  本体
１１  共用操作棒
１１ａ  工具取り付け部
１１ｂ  係止ピン
１１ｃ  係止凹部
１２  ガイド溝
２１  固定部
２２（ａ）  固定部に対して平行に稼動する第２の稼動部
２２（ｂ）  円弧を描くように稼動する第２の稼動部
２３  スリット状の間隙
４１  円筒型先端部
４２  箱型先端部
６０  第１の稼動部
６１  第１のギア
６２  第２のギア
６３  第３のギア
６４  第４のギア
６５  第１のシャフト
６６  第２のシャフト
６７  第５のギア
６８  第６のギア
【図１】
2010244826.tif 000003
【図２】
2010244826.tif 000004
【図３】
2010244826.tif 000005
【図４】
2010244826.tif 000006
【図５】
2010244826.tif 000007
【図６】
2010244826.tif 000008
【図７】
2010244826.tif 000009
【図８】
2010244826.tif 000010
【図９】
2010244826.tif 000011